(57)【特許請求の範囲】
【請求項１】
ノズルのエア噴射作用によって緯糸を緯入れするジェットルームにおいて、
前記ノズルへ供給されるエアを貯えておく圧力の異なる複数のエアタンクと、
前記複数のエアタンクから前記ノズルにエアを供給するための複数の専用流路と、
前記複数の専用流路上に１対１に介在された複数の電磁開閉弁と、
前記複数の電磁開閉弁の下流側で前記専用流路を合流して前記ノズルに連通させる共通流路と、
前記複数のエアタンクのうちの圧力最上位以外のエアタンクに対応する前記専用流路上に介在された逆流防止手段とを備え、前記電磁開閉弁は、ソレノイド部と弁部とを備えており、前記共通流路と前記複数の電磁開閉弁との間の専用流路は、前記弁部内に設けられており、前記共通流路は、前記圧力最上位のエアタンクに対応する電磁開閉弁の弁部内に設けられており、前記圧力最上位以外のエアタンクに対応する電磁開閉弁の弁部を前記圧力最上位のエアタンクに対応する電磁開閉弁の弁部に一体化し、
前記逆流防止手段は、前記圧力最上位以外のエアタンクに対応する電磁開閉弁と前記圧力最上位以外のエアタンクとを接続する前記専用管路上に配置されるジェットルームにおける緯入れ装置。
【請求項２】
前記圧力最上位のエアタンクに対応する電磁開閉弁の弁部は、前記共通流路に連通する複数の分配流路を備えている請求項１に記載のジェットルームにおける緯入れ装置。
【請求項３】
前記ノズルは、経糸の開口内を飛走する緯糸に対してエアを作用させる緯入れ用補助ノズルである請求項１及び請求項２のいずれか１項に記載のジェットルームにおける緯入れ装置。
【発明の詳細な説明】
【０００１】
【発明の属する技術分野】
本発明は、ノズルのエア噴射作用によって緯糸を緯入れするジェットルームにおける緯入れ装置に関するものである。
【０００２】
【従来の技術】
ジェットルームにおいて複数種類の緯糸を緯入れする場合、特開昭５８−１２６３４４3 号公報、特開平１０−２７３８５３号公報に開示されるように、緯入れ用補助ノズルからのエア噴射の圧力を緯糸種類別に設定する対策が図られる。
【０００３】
特開昭５８−１２６３４４号公報の装置では、緯入れ用補助ノズルが電磁開閉弁と絞り弁とからなる２系統のエア供給経路を介して単一のエアタンクに接続されている。
【０００４】
特開平１０−２７３８５３号公報の緯入れ装置では、共通の電磁開閉弁と圧力選択用の電磁開閉弁とからなる高圧エア供給経路が高圧のエアタンクに接続されている。又、共通の電磁開閉弁と逆止弁とからなる低圧エア供給経路が低圧のエアタンクに接続されている。緯入れ用補助ノズルに高圧エアを供給する場合には、共通の電磁開閉弁と圧力選択用の電磁開閉弁とが励磁される。緯入れ用補助ノズルに低圧エアを供給する場合には、共通の電磁開閉弁のみが励磁される。
【０００５】
【発明が解決しようとする課題】
圧力選択用の電磁開閉弁における弁体の切換移動時のエアの逆流を完全に防止することは、その構造からして困難である。そのため、特開昭５８−１２６３４４号公報の装置では、高圧側のエアタンクのエアが低圧側のエアタンクへ逆流し、低圧側のエアタンク内の圧力が変動する。このような圧力変動は、緯入れに悪影響を与える。
【０００６】
特開平１０−２７３８５３号公報の装置では、逆止弁が高圧側から低圧側へのエアの逆流を防止する。しかし、高圧側のエアタンクのエアを緯入れ用補助ノズルへ供給する場合には、共通の電磁開閉弁と圧力選択用の電磁開閉弁とを同時に励磁する必要がある。これは、単一の電磁開閉弁の励磁の場合に比べて大きな電源容量を必要とし、コスト的な問題が生じる。
【０００７】
本発明は、エアの逆流、コスト的な問題を回避し得る緯入れ装置を提供することを目的とする。
【０００８】
【課題を解決するための手段】
そのために請求項１の発明では、ノズルへ供給されるエアを貯えておく圧力の異なる複数のエアタンクと、前記複数のエアタンクから前記ノズルにエアを供給するための複数の専用流路と、前記複数の専用流路上に１対１に介在された圧力複数の電磁開閉弁と、前記複数の電磁開閉弁の下流側で前記専用流路を合流して前記ノズルに連通させる共通流路と、前記複数のエアタンクのうちの圧力最上位以外のエアタンクに対応する前記専用流路上に介在された逆流防止手段とを備え、前記電磁開閉弁は、ソレノイド部と弁部とを備えており、前記共通流路と前記複数の電磁開閉弁との間の専用流路は、前記弁部内に設け、前記共通流路は、前記圧力最上位のエアタンクに対応する電磁開閉弁の弁部内に設け、前記圧力最上位以外のエアタンクに対応する電磁開閉弁の弁部を前記圧力最上位のエアタンクに対応する電磁開閉弁の弁部に一体化し、前記逆流防止手段は、前記圧力最上位以外のエアタンクに対応する電磁開閉弁と前記圧力最上位以外のエアタンクとを接続する前記専用管路上に配置される緯入れ装置を構成した。
【０００９】
電磁開閉弁が開状態にされると、開状態の電磁開閉弁に対応するエアタンクのエアがノズルへ供給される。このエアタンクよりも圧力下位側のエアタンクに対応する専用流路上の逆止弁は、圧力上位側のエアタンクのエアが圧力下位側のエアタンク側へ逆流するのを防止する。緯入れ時には、電磁開閉弁は、複数のうちの１つのみが開状態にされるため、電磁開閉弁を励磁するための電源容量は、単一の電磁開閉弁を励磁するだけの容量で済む。
また、このような一体化は、電磁開閉弁の弁体よりも下流の流路容積を減らす上で有効である。電磁開閉弁よりも下流の流路容積の低減は、エア噴射圧の立ち下がりを早めるのに有効である。
【００１０】
また、いずれの電磁開閉弁に関しても、電磁開閉弁よりも下流の流路容積は、同一である。従って、任意のエアタンクからノズルへエア供給が行われるいずれの場合にも、ノズルにおけるエア噴射圧の立ち上がり及び立ち下がりの波形は、略一定となる。エア圧力の高低に関係のない一定した立ち上がり及び立ち下がりの噴射圧波形は、多色緯入れを良好に行う上で有利である。
【００１３】
請求項２の発明では、請求項１において、前記圧力最上位のエアタンクに対応する電磁開閉弁の弁部は、前記共通流路に連通する複数の分配流路を備えているものとした。
【００１４】
圧力最上位のエアタンクに対応する電磁開閉弁の弁部に複数の分配流路を設ける構成は、分配流路の容積を減らす上で簡便である。
請求項３の発明では、請求項１又は請求項２において、前記ノズルは、経糸の開口内を飛走する緯糸に対してエアを作用させる緯入れ用補助ノズルとした。
【００１５】
本発明は、緯入れ用補助ノズルへの適用に好適である。
【００１６】
【発明の実施の形態】
以下、本発明を具体化した第１の実施の形態を図１〜図４に基づいて説明する。
【００１７】
図１に示すように、一対の緯入れ用メインノズル１１，１２は、予め設定された緯糸選択パターンに従って緯糸Ｙ１，Ｙ２を図示しない経糸の開口内へ射出する。緯入れ用補助ノズル群１３，１４，１５，１６は、緯入れ用メインノズル１１，１２側からリレー噴射する。このリレー噴射が経糸の開口内へ射出された緯糸Ｙ１，Ｙ２を牽引する。緯入れ用メインノズル１１，１２は、電磁開閉弁１７，１８を介して図示しないエアタンクに接続されており、このエアタンクは図示しない圧力エア供給源から圧力エアの供給を受ける。電磁開閉弁１７，１８は、緯糸選択パターンに従って励消磁制御される。
【００１８】
緯入れ用補助ノズル群１３〜１６は、一対のエアタンク１９，２０から圧力エアを供給される。エアタンク１９は、供給管路２１を介して前記圧力エア供給源に接続されており、供給管路２１上には圧力調整器２２が介在されている。圧力調整器２２は、エアタンク１９内の圧力を設定する圧力調整手段である。
【００１９】
エアタンク２０は、供給管路２３を介して供給管路２１に接続されており、供給管路２３上には圧力調整器２４が介在されている。圧力調整器２４は、エアタンク２０内の圧力を設定する圧力調整手段である。
【００２０】
本実施の形態では、エアタンク１９内の圧力がエアタンク２０内の圧力よりも高圧に設定されており、エアタンク１９は圧力上位のエアタンク、エアタンク２０は圧力下位のエアタンクとなる。
【００２１】
緯入れ用補助ノズル群１３〜１６は、電磁開閉弁２６を介して圧力上位のエアタンク１９に接続されている。又、緯入れ用補助ノズル群１３〜１６は、電磁開閉弁２７及び専用管路２８を介して圧力下位のエアタンク２０に接続されている。
【００２２】
図３及び図４に示すように、電磁開閉弁２６，２７は、ソレノイド部２９，３３と弁部３０，３４とからなる。弁部３０，３４は、結合して一体化されている。図４に示すように、電磁開閉弁２６の弁部３０は、バルブハウジング３１と、バルブハウジング３１内に収容された弁体３２とを備えている。バルブハウジング３１には流入流路３１１、共通流路３１２、複数の分配流路３１３及び流出流路３１４（図３に図示）が形成されている。弁体３２は、復帰ばね２９１のばね力によって共通流路３１２側に付勢されている。分配流路３１３は、共通流路３１２から分岐している。分配流路３１３には緯入れ用補助ノズル群１３〜１６がフレキシブルチューブ２５を介して接続されている。ソレノイド部２９が励磁されていないときには、弁体３２は、流入流路３１１と共通流路３１２との連通を遮断する。ソレノイド部２９が励磁されたときには、弁体３２は、流入流路３１１と共通流路３１２とを連通する弁開位置に配置される。バルブハウジング３１は、エアタンク１９に結合されており、流入流路３１１がエアタンク１９に直通している。
【００２３】
図３に示すように、電磁開閉弁２７の弁部３４は、バルブハウジング３５と、バルブハウジング３５内に収容された弁体３６と、バルブハウジング３５内に収容された逆止弁３７とを備えている。逆流防止手段である逆止弁３７は、復帰ばね３９によって逆止位置に向けて付勢されている。バルブハウジング３５には流入流路３５１及び流出流路３５２が形成されており、逆止弁３７が流出流路３５２上に介在されている。弁体３６は、復帰ばね３３１のばね力によって流出流路３５２側に付勢されている。流入流路３５１は、専用管路２８を介してエアタンク２０に連通している。バルブハウジング３５は、バルブハウジング３１に結合されており、バルブハウジング３５側の流出流路３５２がバルブハウジング３１側の流出流路３１４に直通している。
【００２４】
図１及び図２に示すように、電磁開閉弁１７，１８，２６，２７は、制御コンピュータＣの励消磁制御を受ける。制御コンピュータＣは、織機回転角度検出用のロータリエンコーダ３８から得られる織機回転角度検出情報に基づいて電磁開閉弁１７，１８，２６，２７の励消磁を制御する。図１に示すように、緯糸Ｙ１を緯入れするときには電磁開閉弁１７，２６が励磁される。電磁開閉弁２６が励磁されると、圧力上位のエアタンク１９の圧力エアが流入流路３１１、共通流路３１２及び分配流路３１３を経由して緯入れ用補助ノズル群１３〜１６へ供給される。図２に示すように、緯糸Ｙ２を緯入れするときには電磁開閉弁１８，２７が励磁される。電磁開閉弁２７が励磁されると、圧力下位のエアタンク２０の圧力エアが専用管路２８、流入流路３５１、流出流路３５２，３１４、共通流路３１２及び分配流路３１３を経由して緯入れ用補助ノズル群１３〜１６へ供給される。
【００２５】
第１の実施の形態では以下の効果が得られる。
（１−１）電磁開閉弁２６が励磁された場合、共通流路３１２内の圧力は、圧力上位のエアタンク１９側の圧力相当になる。エアタンク１９側の圧力が電磁開閉弁２７の弁体３６に流出流路３５２側から作用すると、弁体３６が復帰ばね３３１のばね力に抗して弁開位置へ動いてしまうおそれがある。逆止弁３７は、エアタンク１９側の圧力が電磁開閉弁２７の弁体３６に流出流路３５２側から作用しないように働く。即ち、逆止弁３７は、圧力上位のエアタンク１９側のエアが圧力下位のエアタンク２０へ逆流するのを防止する。
【００２６】
緯入れ時には、複数のエアタンク１９，２０のうちのいずれか一方のみが励磁される。従って、電磁開閉弁２６，２７を励磁するための電源容量は、単一の電磁開閉弁を励磁するだけの容量で済み、コスト的な問題は生じない。
【００２７】
（１−２）電磁開閉弁２６の弁部３０における流入流路３１１は、エアタンク１９に対応する専用流路である。電磁開閉弁２７の弁部３４における流入流路３５１、流出流路３５２、及び電磁開閉弁２６の弁部３０における流出流路３１４は、エアタンク２０に対応する専用流路である。電磁開閉弁２６，２７は、専用流路上に１対１に介在されている。電磁開閉弁２６，２７の下流側で前記専用流路を合流させる共通流路３１２は、圧力最上位のエアタンク１９に対応する電磁開閉弁２６の弁部３０内に設けられている。専用流路及び共通流路を含む弁部３０，３４は、バルブハウジング３１，３５の結合によって一体化されている。
【００２８】
電磁開閉弁２６，２７の弁体３２，３６よりも下流の弁部３０，３４内の流路容積は、流出流路３５２，３１４、共通流路３１２及び分配流路３１３の各容積の和である。これらの容積の和が少ないほど、緯入れ用補助ノズル群１３〜１６におけるエア噴射圧の立ち下がりが早くなる。緯入れ用補助ノズル群１３〜１６におけるエア噴射圧の早い立ち下がりは、良好な緯入れの達成に寄与する。弁部３０，３４の一体化は、弁体３２，３６よりも下流の弁部３０，３４内における流路長を短くする上で有利である。即ち、弁部３０，３４の一体化は、弁体３２，３６よりも下流の流路容積を減らす上で有効である。
【００２９】
（１−３）複数の分配流路３１３は、圧力最上位のエアタンク１９に対応する電磁開閉弁２６の弁部３０内に設けられている。共通流路３１２を有する弁部３０に複数の分配流路３１３を設ける構成は、分配流路３１３の容積を減らす上で簡便である。
【００３０】
次に、参考例として図５の第２の実施の形態を説明する。第１の実施の形態と同じ構成部には同じ符号が用いてある。
電磁開閉弁２７Ａの弁部３４Ａを構成するバルブハウジング３５Ａはエアタンク２０に結合されており、バルブハウジング３５Ａの流入流路３５１は、エアタンク２０に直通している。バルブハウジング３５Ａの流出流路３５２と、電磁開閉弁２６Ａの弁部３０Ａを構成するバルブハウジング３１Ａの共通流路３１２とは、配管４０によって連通されている。
【００３１】
第２の実施の形態では、第１の実施の形態における（１−１）項及び（１−３）項と同じ効果が得られる。
次に、参考例として図６の第３の実施の形態を説明する。第２の実施の形態と同じ構成部には同じ符号が用いてある。
【００３２】
逆止弁３７は、バルブハウジング３５Ａの流入流路３５１上に配設されている。第３の実施の形態では、第２の実施の形態と同じ効果が得られる。
弁体３２より下流の緯入れ用補助ノズル群１３〜１６（図示略）に至る流路容積は、流出流路３５２、配管４０、共通流路３１２、分配流路３１３及びフレキシブルチューブ２５の各容積の和である。又、弁体３６より下流の緯入れ用補助ノズル群１３〜１６に至る流路容積は、流出流路３５２、配管４０、共通流路３１２、分配流路３１３及びフレキシブルチューブ２５の各容積の和である。即ち、電磁開閉弁２６Ａ，２７Ａが消磁状態にあるときの電磁開閉弁２６Ａ，２７Ａよりも下流の流路容積は、同じとなる。このような流路容積の同一性は、緯入れ用補助ノズル群１３〜１６における高圧噴射と低圧噴射とのどちらでも噴射圧の立ち上がり波形及び立ち下がり波形をほぼ同じにする。高圧噴射と低圧噴射とにおける噴射圧の立ち上がり波形及び立ち下がり波形の同形性は、多色緯入れを良好に行う上で有利である。
【００３３】
次に、参考例として図７及び図８の第４の実施の形態を説明する。第３の実施の形態と同じ構成部には同じ符号が用いてある。
電磁開閉弁２６Ｂ，２７Ｂの弁部４３を構成するバルブハウジング４１は、一体形成されている。バルブハウジング４１は、エアタンク１９に結合されている。バルブハウジング４１内の流入流路４１１は、電磁開閉弁２６Ｂ側の専用流路であり、バルブハウジング４１内の流入流路４１２は、電磁開閉弁２７Ｂ側の専用流路である。流入流路４１２は、配管４２を介してエアタンク２０に連通しており、配管４２上には逆止弁３７が介在されている。共通流路４１３には分配流路３１３が連通している。
【００３４】
第４の実施の形態では、第１の実施の形態における（１−１）〜（１−３）項と同じ効果が得られる。又、電磁開閉弁２６Ｂ，２７Ｂが消磁状態における電磁開閉弁２６Ｂ，２７Ｂよりも下流の流路容積は、同じとなり、緯入れ用補助ノズル群１３〜１６（図示略）における高圧噴射と低圧噴射とのどちらでも噴射圧の立ち上がり波形及び立ち下がり波形がほぼ同じになる。
【００３５】
次に、図９（ａ），（ｂ）の第５の実施の形態を説明する。第１の実施の形態と同じ構成部には同じ符号が用いてある。
電磁開閉弁２６のバルブハウジング３１は、エアタンク１９に結合されており、弁部３０における流入流路３１１がエアタンク１９に直通している。電磁開閉弁２７のバルブハウジング３５は、エアタンク２０に結合されており、弁部３４における流入流路３５１がエアタンク２０に直通している。
【００３６】
第５の実施の形態では、第１の実施の形態と同じ効果が得られる。又、流入流路３５１がエアタンク２０に直通しているため、電磁開閉弁２７が励消磁するときの緯入れ用補助ノズル群１３〜１６における噴射圧の立ち上がり及び立ち下がりが、第１の実施の形態の場合よりも早くなる。
【００３７】
本発明では、以下のような実施の形態も可能である。
（１）圧力の異なる３つ以上のエアタンクから緯入れ用補助ノズルにエアを供給するジェットルームに本発明を適用すること。
【００３８】
（２）単一の緯入れ用メインノズルに圧力の異なる複数のエアタンクからエアを供給するジェットルームに本発明を適用すること。このようなジェットルームは、例えば製織中に織機回転速度を変化させる織機である。一例としてタオル織機があげられ、ボーダー織りとパイル織りとにおける一方から他方への移行時に織機の回転速度が変えられる。
【００３９】
（３）第２，３の実施の形態において、バルブハウジング３１Ａ，３５Ａを一体的に結合すること。
（４）第５の実施の形態において、流入流路４１２上に逆止弁３７を介在すること。
【００４０】
（５）緯入れされた緯糸の先端部を緯入れ末端側でノズルからの噴射エア流によって捕捉して緯糸に張力を付与する装置に適用すること。このような張力付与装置は緯入れ装置の一部である。この場合、緯糸の先端部を捕捉するためのノズルは、前記した実施の形態のように圧力の異なる複数のエアタンクから緯糸種類に応じてエア供給を受けることになる。
【００４１】
前記した実施の形態から把握できる請求項記載以外の発明について以下に記載する。
〔１〕前記逆流防止手段は、前記弁部内に配設されているジェットルームにおける緯入れ装置。
【００４２】
【発明の効果】
以上詳述したように本発明では、複数の専用流路上に複数の電磁開閉弁を１対１に介在し、前記複数の電磁開閉弁の下流側で前記専用流路を共通流路によって合流すると共に、前記複数のエアタンクのうちの圧力最上位以外のエアタンクに対応する前記専用流路上に逆流防止手段を介在したので、エアの逆流、コスト的な問題を回避し得るという優れた効果を奏する。
【図面の簡単な説明】
【図１】第１の実施の形態を示し、一方の緯糸を射出した状態を示すエア配管図。
【図２】他方の緯糸を射出した状態を示すエア配管図。
【図３】要部正断面図。
【図４】図３のＡ−Ａ線断面図。
【図５】第２の実施の形態を示す側断面図。
【図６】第３の実施の形態を示す側断面図。
【図７】第４の実施の形態を示す要部正断面図。
【図８】図７のＢ−Ｂ線断面図。
【図９】第５の実施の形態を示し、（ａ）は、要部正断面図。（ｂ）は、（ａ）のＣ−Ｃ線断面図。
【符号の説明】
１３〜１６…緯入れ用ノズルである緯入れ用補助ノズル群。１９…圧力上位のエアタンク。２０…圧力下位のエアタンク。２６，２７，２６Ａ，２７Ａ，２６Ｂ，２７Ｂ…電磁開閉弁。２８…専用流路としての専用管路。２９，３３…ソレノイド部。３０，３４，３０Ａ，３４Ａ…弁部。３１１，３５１…専用流路としての流入流路。３１２…共通流路。３１４，３５２…専用流路としての流出流路。３７…逆流防止手段である逆止弁。
【図１】
0003820994.tif 000002
【図２】
0003820994.tif 000003
【図３】
0003820994.tif 000004
【図４】
0003820994.tif 000005
【図５】
0003820994.tif 000006
【図６】
0003820994.tif 000007
【図７】
0003820994.tif 000008
【図８】
0003820994.tif 000009
【図９】
0003820994.tif 000010